(57)【要約】【課題】バッグの中などに収納した状態で、雨に濡れた折畳み傘から雨水が漏れ出さない仕組みを備えたケース付き折り畳み傘を提供する。【解決手段】先端部に石突きを有し後端部に持ち手１３を有する折り畳み傘１４と、持ち手が上端部に螺着し底部に底キャップ２８が螺着する有底筒体状のケース本体１５とからなるケース付き折り畳み傘１１であって、持ち手は、蓋状に形成されると共に、その内周面に雌ネジ部が形成されており、ケース本体の上端部には、雌ネジ部が螺合する雄ネジ部２６が形成されており、持ち手をケース本体の上端開口部２４に施蓋できる構成であり、持ち手の上部には、凸起部１７が設けられており、凸起部を挟持した状態でＣ字状のリング部が回動自在に設けられている。【選択図】図５
0003228568.tif 000002
【実用新案登録請求の範囲】
【請求項１】
先端部に石突きを有し後端部に持ち手を有する折り畳み傘と、前記持ち手が上端部に螺着し底部に底キャップが螺着する有底筒体状のケース本体とからなるケース付き折り畳み傘であって、
前記持ち手は、蓋状に形成されると共に、その内周面に雌ネジ部が形成されており、
前記ケース本体の上端部には、前記雌ネジ部が螺合する雄ネジ部が形成されており、
前記持ち手を前記ケース本体の上端開口部に施蓋できる構成であり、
前記持ち手の上部には、凸起部が設けられており、
該凸起部を挟持した状態でＣ字状のリング部が回動自在に設けられていること
を特徴とするケース付き折り畳み傘。
【請求項２】
前記リング部の上面には、滑り止め用のシリコンゴムが設けられていること
を特徴とする請求項１に記載のケース付き折り畳み傘。
【請求項３】
前記ケース本体の下端部には、下端雄ネジ部が形成されており、
該下端雄ネジ部には、内周面に底キャップ雌ネジ部が形成された前記底キャップが螺着しており、
該底キャップは、取り外して前記ケース本体の上端部の雄ネジ部に螺着可能な構成であること
を特徴とする請求項１に記載のケース付き折り畳み傘。
【請求項４】
前記石突きは、円盤状に形成されていること
を特徴とする請求項１に記載のケース付き折り畳み傘。
【考案の詳細な説明】
【技術分野】
【０００１】
本考案は、ケース付き折り畳み傘に関するものである。
【背景技術】
【０００２】
従来の傘としては、実用新案登録第３１８６１３４号公報に開示された構成のものが知られている。この傘１は、図１１に示すように、折畳み傘２と、この折畳み傘２を収納する傘袋３とからなる。折畳み傘２は、握り柄４に係止用のストラップ５を有しており、傘袋３は、開閉可能なスライドファスナー６と、スライドファスナー６を開閉するスライダー７と、手提げベルト８とを有している。手提げベルト８の先端には、フック９が設けられており、このフック９をスライダー７に接続できる構成である（特許文献１参照）。
【０００３】
このような構成の傘１は、フック９をスライダー７に接続して、手提げベルト８を手に持ち、あるいは吊り下げると、傘１の自重でスライドファスナー６が自然に閉まる仕組みである。
【先行技術文献】
【特許文献】
【０００４】
【特許文献１】実用新案登録第３１８６１３４号公報
【考案の概要】
【考案が解決しようとする課題】
【０００５】
この従来例の傘１においては、傘袋３の開口部３ａをピッタリと閉塞できないので、雨に濡れた折畳み傘２を傘袋３に収納した状態で横にすると、開口部３ａから雨水が漏れ出すという問題点を有している。
【０００６】
また、折畳み傘２の握り柄４にストラップ５を有するだけでなく、傘袋３にも手提げベルト８を有するので、折畳み傘２を傘袋３に収納した状態では、ストラップ５と手提げベルト８との２本が併存することとなり、邪魔であるという問題点も有している。
【０００７】
従って、従来例における傘１においては、傘袋３から雨水が漏れ出さない仕組みを設けることと、傘１に有する係止用の紐類をスッキリさせることとに解決しなければならない課題を有している。
【課題を解決するための手段】
【０００８】
前記従来例の課題を解決するための本考案の要旨は、先端部に石突きを有し後端部に持ち手を有する折り畳み傘と、前記持ち手が上端部に螺着し底部に底キャップが螺着する有底筒体状のケース本体とからなるケース付き折り畳み傘であって、前記持ち手は、蓋状に形成されると共に、その内周面に雌ネジ部が形成されており、前記ケース本体の上端部には、前記雌ネジ部が螺合する雄ネジ部が形成されており、前記持ち手を前記ケース本体の上端開口部に施蓋できる構成であり、前記持ち手の上部には、凸起部が設けられており、該凸起部を挟持した状態でＣ字状のリング部が回動自在に設けられていることである。
【０００９】
また、前記リング部の上面には、滑り止め用のシリコンゴムが設けられていること、；
前記ケース本体の下端部には、下端雄ネジ部が形成されており、該下端雄ネジ部には、内周面に底キャップ雌ネジ部が形成された前記底キャップが螺着しており、該底キャップは、取り外して前記ケース本体の上端部の雄ネジ部に螺着可能な構成であること、；
前記石突きは、円盤状に形成されていること、；
を含むものである。
【考案の効果】
【００１０】
本考案に係るケース付き折り畳み傘によれば、折り畳み傘の持ち手をケース本体の上端開口部に施蓋すれば、傘に付着した雨水が外に漏れ出ない。従って、ケース付き折り畳み傘をバッグの中などに収納したときに、中の荷物を濡らすことがない。
また、持ち手のリング部を起こしてその中に指を入れて持ち運ぶことができる。さらには、持ち手のリング部を反対側に倒して、該リング部をテーブルや段差部に掛けることができるという種々の優れた効果を奏する。
【００１１】
リング部の上面には、滑り止め用のシリコンゴムが設けられていることによって、持ち手のリングを反対側に倒して、該リングをテーブルや段差部に掛けたときに、シリコンゴムが滑り止めの作用をしてズレ落ちないという優れた効果を奏する。
【００１２】
ケース本体の下端部には、下端雄ネジ部が形成されており、下端雄ネジ部には、内周面に底キャップ雌ネジ部が形成された底キャップが螺着しており、底キャップは、取り外してケース本体の上端部の雄ネジ部に螺着可能な構成であることによって、傘を使用しているときに、底キャップをいったん取り外してから、ケース本体の上端開口部に施蓋すれば、ケース本体の中の雨水が外に漏れ出ないという優れた効果を奏する。
【００１３】
石突きは、円盤状に形成されていることによって、石突きが床面などに安定した状態で当接するので、折り畳み傘を起立させた状態で置くことができるという優れた効果を奏する。
【図面の簡単な説明】
【００１４】
【図１】本考案に係るケース付き折り畳み傘の斜視図である。
【図２】本考案に係るケース付き折り畳み傘の斜視図である。
【図３】持ち手のリング部を起こした状態の正面図である。
【図４】持ち手のリング部を起こした状態の側面図である。
【図５】持ち手とケース本体とを離隔した状態の正面図である。
【図６】折り畳み傘を起立させて置いた状態の正面図である。
【図７】折り畳み傘を起立させて置いた状態の側面図である。
【図８】持ち手のリングを倒して段差部に掛けた状態の側面図である。
【図９】持ち手のリングを倒してテーブルに掛けた状態の側面図である。
【図１０】取り外した底キャップをケース本体の上端開口部に施蓋した状態を示す説明図である。
【図１１】従来例に係る傘の正面図である。
【考案を実施するための形態】
【００１５】
次に、本考案の実施の形態について図面を参照しながら説明する。まず、図１から図４において、符号１１はケース付き折り畳み傘を示し、このケース付き折り畳み傘１１は、先端部に石突き１２を有し（図６及び図７参照）、後端部に持ち手１３を有する折り畳み傘１４と（図５から図７参照）、持ち手１３が螺着する有底筒体状のケース本体１５とから構成される。
【００１６】
石突き１２は、図６及び図７に示すように、円盤状に形成されている。従って、石突き１２が床面１６などに安定した状態で当接するので、折り畳み傘１１を起立させて置くことができる。
なお、図６及び図７中の符号２２は傘布を示し、符号２３は結束帯を示す。
【００１７】
持ち手１３は、蓋状に形成されると共に、その内周面には、図示しない雌ネジ部が形成されている。そして、持ち手１３をケース本体１５の上端開口部２４に施蓋できる構成になっている（図５参照）。
【００１８】
また、持ち手１３の上部には、凸起部１７が設けられており、この凸起部１７を挟持した状態で、Ｃ字状のリング部１８が回動自在に設けられている。
従って、図３及び図４に示すように、リング部１８を起こしてその中に指を入れて持ち運ぶことができる。
さらには、リング部１８を反対側に倒して、図９に示すように、リング部１８をテーブル１９に掛けることができるし、図８に示すように、リング部１８を段差部２０に掛けることができる。
【００１９】
リング部１８の上面には、図１及び図２に示すように、滑り止め用のシリコンゴム２１が設けられている。
この場合、上述したように、リング１８を反対側に倒して、リング１８をテーブル１９や段差部２０に掛けたときに、シリコンゴム２１が滑り止めの役目を果たすので、ズレ落ちない（図８及び図９参照）。
【００２０】
ケース本体１５は、有底筒体状に形成されており、上端部に上端開口部２４を有し（図５参照）、下端部に底部２５を有する（図１０参照）。
ケース本体１５の上端部には、雄ネジ部２６が形成されており（図５参照）、この雄ネジ部２６に持ち手１３の雌ネジ部（図示せず）が螺合するようになっている。つまり、持ち手１３がケース本体１５の上端開口部２４を施蓋する構成になっているので（図１から図４参照）、傘に付着した雨水がケース本体１５の外に漏れ出ない。
【００２１】
また、ケース本体１５の下端部には、下端雄ネジ部２７が形成されている（図１０参照）。
下端雄ネジ部２７には、底キャップ２８が螺着している（図１から図５参照）。底キャップ２８は、内周面に図示しない底キャップ雌ネジ部が形成されており、底キャップ雌ネジ部と下端雄ネジ部２７とが螺合する構成である。
【００２２】
そして、底キャップ２８は、取り外してケース本体１５の上端部の雄ネジ部２６に螺着可能な構成である（図１０参照）。つまり、底キャップ２８は、ケース本体１５の上端開口部２４に施蓋できるのである。
従って、図１０に示すように、傘を使用しているときに、底キャップ２８をいったん取り外してから、ケース本体１５の上端開口部２４に施蓋すれば、ケース本体１５の中に残った雨水が外に漏れ出ない。
【００２３】
以上のように構成されるケース付き折り畳み傘１１は、折り畳み傘１４の持ち手１３をケース本体１５の上端開口部２４に施蓋すれば、傘に付着した雨水が外に漏れ出ない。従って、ケース付き折り畳み傘１１をバッグの中などに収納したときに、中の荷物などを濡らすことがない。
【符号の説明】
【００２４】
１    傘
２    折畳み傘
３    傘袋
３ａ  開口部
４    握り柄
５    ストラップ
６    スライドファスナー
７    スライダー
８    手提げベルト
９    フック
１１  ケース付き折り畳み傘
１２  石突き
１３  持ち手
１４  折り畳み傘
１５  ケース本体
１６  床面
１７  凸起部
１８  リング部
１９  テーブル
２０  段差部
２１  シリコンゴム
２２  傘布
２３  結束帯
２４  上端開口部
２５  底部
２６  雄ネジ部
２７  下端雄ネジ部
２８  底キャップ
【図１】
0003228568.tif 000003
【図２】
0003228568.tif 000004
【図３】
0003228568.tif 000005
【図４】
0003228568.tif 000006
【図５】
0003228568.tif 000007
【図６】
0003228568.tif 000008
【図７】
0003228568.tif 000009
【図８】
0003228568.tif 000010
【図９】
0003228568.tif 000011
【図１０】
0003228568.tif 000012
【図１１】
0003228568.tif 000013